(57)【要約】【課題】装置内でジャム（紙詰まり）が発生した際に、ジャム紙の位置を表示すると共に、装置内に存在する他の用紙の印刷状態も併せて表示する画像形成装置を提供する。【解決手段】操作手段３に設けられた液晶表示部は、用紙Ｐが装置内のいずれかの箇所でジャムを生じたことを検知装置Ｓ−ｎが検知した際に、当該用紙Ｐのジャムの位置を表示すると共に、装置内に存在している全ての用紙Ｐの状態を表示する。【選択図】図２
2008145694.tif 000002
【特許請求の範囲】
【請求項１】
画像形成の各種モードや、コピー枚数を設定する操作部を有し、用紙に画像形成する画像形成装置であって、
コピー枚数をカウントするカウンタと、
前記画像形成装置から画像形成された正常紙の排紙を検出する排紙検出部と、
正常排出紙をカウントするカウンタと、
前記画像形成装置内で該用紙のジャムが発生の際、該ジャム紙の位置を把握するための用紙先端及び／又は用紙後端を検出する検出部と、
ジャム紙発生時のカウントを記憶する記憶部と、
前記モード設定状況、ジャム発生を了知させる警告メッセージ、正常排出した用紙のイメージ図や正常排出紙のカウンタ情報等を表示する表示部を
備えたことを特徴とする画像形成装置。
【請求項２】
操作手段から入力されたジョブに基づいて用紙上に画像を形成する画像形成手段を有する画像形成装置であって、
前記操作手段に設けられた表示部は、前記用紙が前記画像形成装置内のいずれかの箇所でジャムを生じたことを検知した際に、該ジャム紙の位置を表示すると共に、前記画像形成装置内に存在している全ての用紙の状態を表示することを特徴とする画像形成装置。
【請求項３】
前記表示部に対して、正常排出した用紙のカウンタ情報、警告メッセージ及び正常排出した用紙のイメージ図の組み合わせを表示させてから、該ジャム紙の位置を表示させ、かつ、該ジャム紙が排出された後に、画像形成を自動再開して稼動させることを特徴とする請求項１又は２記載の画像形成装置。
【請求項４】
前記表示部に対して、正常排出した用紙のカウンタ情報、警告メッセージ及び正常排出した用紙のイメージ図の組み合わせを表示させてから、該ジャム紙の位置を表示させ、かつ、該ジャム紙が排出された後に、画像形成を手動にて再開して稼動させることを特徴とする請求項１又は２記載の画像形成装置。
【請求項５】
前記表示部に対して、該ジャム紙の位置をパネル表示させてから、正常排出した用紙のカウンタ情報、警告メッセージ及び正常排出した用紙のイメージ図の組み合わせを表示させ、該ジャム紙が排出された後に、画像形成を自動再開して稼動させることを特徴とする請求項１又は２記載の画像形成装置。
【請求項６】
前記表示部に対して、該ジャム紙の位置をパネル表示させてから、正常排出した用紙のカウンタ情報、警告メッセージ及び正常排出した用紙のイメージ図の組み合わせを表示させ、かつ、該ジャム紙が排出された後に、画像形成を手動にて再開して稼動させることを特徴とする請求項１又は２記載の画像形成装置。
【請求項７】
前記ジャム紙の位置検出は、前記用紙の先端検出及び／又は用紙後端検出を行うことによって把握することを特徴とする請求項２記載の画像形成装置。
【請求項８】
前記表示部は、液晶表示装置であることを特徴とする請求項１又は２記載の画像形成装置。
【発明の詳細な説明】
【技術分野】
【０００１】
本発明は、画像形成装置に関し、例えば用紙ジャムへの対応を適用した画像形成装置に関する。
【背景技術】
【０００２】
画像形成装置では、一般に、その画像形成動作中に紙詰まり（用紙ジャム、以下単にジャムという）が生じた場合、その作業は中止され、詰まった用紙を含めて用紙搬送路中に停止したすべての用紙を取り除かないと、その後の画像形成動作は開始できないように制御されている。
【０００３】
そこで、画像形成装置には、用紙のジャム位置を表示パネルに表示してユーザに知らせるための、ジャム表示システムが備えられている。このシステムは、搬送する用紙にジャムの発生したことを検知するジャム検知装置と、用紙の搬送位置（搬送路上での位置）を検知する複数の位置センサとを備えている。
【０００４】
そして、このジャム表示システムでは、ジャム検知装置によってジャムの発生を検知したときには、装置全体の動作を停止させるようになっている。さらに、位置センサによってジャム位置（異常停止位置；用紙の詰まっている位置）を検知し、ユーザに対してジャム処理（ジャム解消処理；復帰作業）を促すために、検知結果を表示パネルに表示するように設定されている。
【０００５】
表示パネルにおけるジャム位置の表示は、複写機の概略断面図（イラスト）を示し、イラスト内におけるジャム位置に該当する位置にマークを付けて、ジャムの位置のみを表示している。なお、上記のイラストとともに、ジャム処理の手順（ジャムガイド）を画面上に表示するように設定されている技術も開示されている（例えば、特許文献１を参照）。
【０００６】
また、ジャムが発生した場合に、ページ管理テーブルから印刷済みページを検索して、紙ジャム発生時の際にプリンタコントローラ（ＣＰＵ）で認識した最終排紙ページのページイメージを表示パネルに表示する技術も開示されている（例えば、特許文献２を参照）。
【特許文献１】特開２０００−５３２７５号公報
【特許文献２】特開２００３−３０５９０６号公報
【発明の開示】
【発明が解決しようとする課題】
【０００７】
上述のように、画像形成装置では、装置内でジャムが発生した場合、用紙に関する情報は、用紙が詰まった位置等のジャムした用紙に関するものみに限定されている。したがって、装置内部に存在する他の用紙が画像形成済みのものであるか否かを判別できないという問題がある。例えば、ソーターを用いた際に、フロントカバーオープンのような緊急停止ジャムが発生した場合、トレイに排出されず、排出口付近に残っている正常排出紙とジャム紙との判別がつきにくいといった欠点があった。
【０００８】
また、複数枚を画像形成した際に、フィニッシャ（用紙後処理装置）に排出された用紙は何枚目までが正常に複写されたものかを確実に判別することが困難であるという問題もある。
【０００９】
本発明は、このような事情にもとづいてなされたもので、装置内でジャムが発生した際に、ジャムした用紙の位置を表示すると共に、装置内に存在する他の用紙の印刷状態も併せて表示することができる画像形成装置を提供することを目的としている。
【課題を解決するための手段】
【００１０】
本発明の一実施形態によれば、
画像形成の各種モードや、コピー枚数を設定する操作部を有し、用紙に画像形成する画像形成装置であって、
コピー枚数をカウントするカウンタと、
前記画像形成装置から画像形成された正常紙の排紙を検出する排紙検出部と、
正常排出紙をカウントするカウンタと、
前記画像形成装置内で該用紙のジャムが発生の際、該ジャム紙の位置を把握するための用紙先端及び／又は用紙後端を検出する検出部と、
ジャム紙発生時のカウントを記憶する記憶部と、
前記モード設定状況、ジャム発生を了知させる警告メッセージ、正常排出した用紙のイメージ図や正常排出紙のカウンタ情報等を表示する表示部を
備えたことを特徴とする画像形成装置が提供される。
【００１１】
また、本発明の別の一実施形態によれば、
操作手段から入力されたジョブに基づいて用紙上に画像を形成する画像形成手段を有する画像形成装置であって、
前記操作手段に設けられた表示部は、前記用紙が前記画像形成装置内のいずれかの箇所でジャムを生じたことを検知した際に、該ジャム紙の位置を表示すると共に、前記画像形成装置内に存在している全ての用紙の状態を表示することを特徴とする画像形成装置が提供される。
【発明の効果】
【００１２】
本発明によれば、装置内でジャムが発生した際に、ジャムした用紙の位置を表示すると共に、装置内に存在する他の用紙の印刷状態も、併せて表示するので、正常排出紙とジャム紙の判別精度を向上させることができる。
【発明を実施するための最良の形態】
【００１３】
以下、本発明の画像形成装置についての実施するための最良の形態を、図面を参照して説明する。
【００１４】
図１は、本発明の画像形成装置の一実施例に係る画像形成装置の概略構成を示すブロック図である。制御系１は、装置の全体を統括して制御するＣＰＵ２に、操作・表示パネル３、メモリ４、画像読み込み部５、画像処理部６を介してのページメモリ部７および印刷機能部８、そして、この印刷機能部８と連結したフィニッシャ部９がそれぞれ接続されている。
【００１５】
なお、印刷機能部８には、周知の種々の印刷（複写）に必要な要素部材で構成され、その一つとして、後で詳述するレジストクラッチ１０とこのレジストクラッチ１０と連動して、用紙のジャムを検出する排紙センサＳ−１が装着されている。また、フィニッシャ部９にも用紙のジャムを検出する排紙センサＳ−２が装着されている。
【００１６】
また、フィニッシャ部９では、特に図示はしないが周知のように、用紙を複数枚の束にしてステイプル綴じを行うステイプルユニット、パンチ孔の穿孔を行うパンチユニット等を選択して装備し、ユーザの要望に応じた用紙の処理を行えるようになっている。
【００１７】
図２に正面図を示すように、操作・表示パネル（操作手段）３は、正面にボタンにより操作をおこなう操作用ボタン群１１と、操作案内を行うと共に種々の指示が行えるタッチキー内蔵の液晶表示部１２と、警告等を表示するアラームランプ１３とが配置されている。
【００１８】
操作ボタン群１１は、スタートボタン１１ａや枚数を設定するテンキー・ファンクションキー１１ｂのほかに、各種の機能に対応して、符号は付さないが、ＨＥＬＰボタン、設定／登録ボタン、テンプレートボタン、機能拡張ボタン、ファイリングボックスボタン、スキャンボタン、コピーボタン、ファクスボタン、データ受信／受信原稿有り／回線使用状況確認ランプ、割り込みボタン、状況確認ボタン、アクセスボタン、節電ボタン、リセットボタン、ストップボタン、クリアボタン、オンフック／ポーズボタン等がそれぞれ所定位置に配置されている。
【００１９】
液晶表示部１２は、操作案内を行うと共に種々の指示が行えるタッチキーが内蔵され、表示面１４は、文字によるメッセージ等を表示するメッセージ表示領域１５と略図等とタッチキーを表示する操作案内領域１６とにより構成されている。
【００２０】
メッセージ表示領域１５には、装置の稼働状況に対応して、例えば、正常時の「ｎ枚正常排出されました」や、ジャム時の、「用紙を取り除いてください」や「プリンタジャム」等の種々のメッセージが状況に応じてテキストにより表示される。
【００２１】
操作案内領域１６には、通常の待ち受け状態では基本機能の初期画面が表示されている。初期画面では、例えば、ズームが１００％、原稿サイズがＡ４、写真画像とテキスト画像の設定、ノンソートとノンステイプルの設定、両面モードの設定が表示され、編集、プログラム、設定変更等の指示を行うアイコンが表示される。
【００２２】
図３は、正常に用紙Ｐが排出された状態の液晶表示部１２の表示を示す正面図である。表示面１４のメッセージ表示領域１５には、「ｎ枚正常排出されました」「正常排出された紙を残しておいてください」が表示される。また、操作案内領域１６には、正常排出紙イメージ図が表示される。
【００２３】
図４は、正常に用紙が排出されず、ジャムが発生した状態の液晶表示部１２の表示を示す正面図である。表示面１４のメッセージ表示領域１５には、「プリンタジャム」「用紙を取り除いてください」が表示される。また、操作案内領域１６には、機体表示のイメージ図により、ジャムした用紙の位置情報が表示される。
【００２４】
また、図５に、操作案内領域１６の表示を示したように、操作案内領域１６には、用紙Ｐがジャムした際に、略図と共に、「１枚目：ジャム紙です。取り除いてください」、「２枚目：ジャム紙ではありません  残しておいてください」、「２枚目：ジャム紙ではありません  残しておいてください」・・・等を表示するようになっている。
【００２５】
先の図１のブロックに示した、ＣＰＵ２は、入力されるプリント制御パラメータや接続しているメモリ４に記憶された設定値に基づいて、複写装置の全体の動作などを制御したり、メモリ４に記憶されている、入力されたあるいは予め設定されている設定値などにより、ラスタ画像データに対して、拡大縮小、回転処理などを施す処理をおこなう。なお、メモリ４は、ＲＡＭ（ランダム・アクセス・メモリ４）やＲＯＭ（リード・オンリ・メモリ４）、ＨＤＤ（ハード・ディスク・ドライブ）などにより構成されている。
【００２６】
また、画像読み込み部５は、光学的スキャナ（不図示）によって原稿を読み取り、読み取ったスキャナ画像データを生成してＣＰＵ２に入力する。
【００２７】
ページメモリ部７は、画像読み込み部５により読み込まれた画像データを、画像処理部６で処理して取り込み、一時的に記憶する。
【００２８】
印刷機能部８は、ＣＰＵ２の制御によりメモリ画像データに基づいて用紙に画像を形成する。この印刷機能部８には、用紙搬送路上に沿って形成された各印刷機能部８と共に、用紙搬送路上の用紙を検出する検知装置（排紙センサＳ−１・・・）が用紙搬送路近傍の各箇所に設けられている。
【００２９】
なお、ジャムの発生は、印刷機能部９のレジストローラ（後述）の周辺とフィニッシャ部９の周辺とが頻度的には最も多い。したがって、以下に、検知装置（排紙センサ）の代表例としてレジストクラッチ１０とタイミングが連動した排紙センサＳ−１と、フィニッシャ部９に設けられている排紙センサＳ−２を例示し、それぞれによる検知の動作について説明する。
【００３０】
なお、検知装置（排紙センサＳ−ｎ）は、通常の複写動作において、各検知装置から送られる用紙の有無を信号として受け取り、複写動作中に用紙が正しいタイミングで搬送されているかを判断している。この判断は、用紙の先端部及び後端部の通過による検知タイミングなどからおこなっている。
【００３１】
つまり、各検知装置（排紙センサＳ−ｎ）は、用紙の先端位置又は後端位置、あるいは、先端位置と後端位置の双方を検出することにより用紙の存在や通過を検知している。
【００３２】
各検知装置Ｓ−ｎは、用紙の先端が検知装置Ｓ−ｎの検出エリアに差し掛かると出力がＯＮとなり、用紙が検知装置Ｓ−ｎの検出エリアにある間はＯＮ状態が持続する。そして、用紙が検出エリアを通り抜けた時点（用紙の後端位置が通過した時点）で出力がＯＦＦとなる。したがって、各検知装置Ｓ−ｎは、下記の（１）〜（３）のうち、１つでもこれらの条件を満たすものがあればジャムが発生したと判定する。
【００３３】
（１）所定の検知装置Ｓ−ｎがＯＦＦ状態であるはずなのにＯＮになっている（用紙が検知装置Ｓ−ｎの検出範囲内で停止している）。
【００３４】
（２）所定の検知装置Ｓ−ｎがＯＮになるはずなのになっていない（所定時間経過しても次にＯＮになるはずの検知装置Ｓ−ｎの出力がＯＮにならない）。
【００３５】
（３）所定の検知装置Ｓ−ｎがＯＦＦになるはずなのになっていない（検知装置Ｓ−ｎの出力がＯＮになってから所定時間経過しても検知装置Ｓ−ｎの出力がＯＦＦにならない）。
【００３６】
次に、レジストクラッチ１０と排紙センサＳ−１とによる用紙Ｐのジャムの検出について説明する。
【００３７】
図６に電子写真方式の画像形成装置の基本動作を説明するための概略構成の模式説明図を示す。
【００３８】
時計回り方向に回転している感光ドラム３１の表面上には、レーザースキャナ３２から発射されたレーザー光Ｌが照射される。これにより、感光ドラム３１上には静電潜像が形成され、同静電潜像はトナー現像器３３によって顕画化される。なお、レーザースキャナ３２は、リーダ部３４が読み取った原稿画像に基づくレーザー光Ｌを発射する。
【００３９】
一方で、カセット（図示せず）内に重ねて積載されている用紙Ｐの給送が行われる。積載されている記録媒体Ｐは反時計回り方向に回転する給紙ローラ３５によって最上位の記録媒体から順に１枚ずつ送り出される。
【００４０】
カセットから送り出された用紙Ｐは、回転停止状態にあるレジストローラ対３６Ｃへと送られる。そして、用紙Ｐはその先端がレジストローラ対３６Ｃのニップに突き当たって所定量のループを形成した時点で移動を停止する。これにより、用紙Ｐの斜行状態が補正され、用紙Ｐは正しい姿勢で画像の記録が行われるようになる。
【００４１】
レジストローラ対３６Ｃによって斜行が補正された用紙Ｐは、所定のタイミングで回転を開始するレジストローラ対３６Ｃによって、感光ドラム３１と転写帯電器３７Ａとの間の転写部へと送られる。そして、用紙Ｐがこの転写部を通過中に、感光ドラム３１上のトナー画像が転写帯電器３７Ａによって転写される。
【００４２】
排紙センサＳ−１は、レジストローラ対３６Ｃにレジストモータ３６Ｍの駆動を伝えるレジストクラッチ１０がクラッチＯＮした時点から所定時間経過後にジャム検知タイミングが設定されている。このジャム検知タイミングは、用紙Ｐが排紙センサＳ−１を通過するタイミングから割り出されている。用紙Ｐが設定速度で排紙センサＳ−１を通過するタイミングは、レジストクラッチ１０がＯＮから所定時間後であり、ジャム検知タイミングはそれよりも更に所定時間後である。
【００４３】
図７に、ジャム検知タイミング例を示す。ここでは、一例としてレジストクラッチ１０がＯＮから時間５００ｍｓが経過した時点にジャム検知タイミング（Ｔｊａｍ）が設定されている。この時点で、排紙センサＳ−１がＨｉｇｈであれば、用紙Ｐを検知しており、分離遅延ジャム発生と判断する。また、排紙センサＳ−１がＬｏｗであれば、用紙Ｐは検知されておらず、分離遅延ジャムなしと判断する。
【００４４】
また、用紙Ｐジャムの別の検知の方法としては、レジストクラッチ１０がＯＦＦしてから、所定時間経過後に用紙Ｐの後端を検知する排紙センサＳ−１を通過しなかった場合は、用紙ジャムと判断することもできる。つまり、レジストクラッチ１０がＯＦＦの状態では、用紙Ｐを搬送するレジストローラ対３６Ｃが所定の搬送動作を終了して駆動していない。それにも拘わらず用紙Ｐが、所定時間経過後に排紙センサＳ−１の位置を通過していない場合は、排紙センサＳ−１への不達による用紙Ｐジャムと判断される。
【００４５】
次に、レジストクラッチ１０周辺部の用紙Ｐのジャム検出の具体例のステップについて、排紙センサＳ−１による先端検出の場合と後端検出の場合とについて、それぞれ説明する。
【００４６】
まず、排紙センサＳ−１による先端検出の場合を説明する。
【００４７】
図８は、排紙センサＳ−１による先端検出の場合を示したフローチャートである。なお、各部の名称と符号は図６を援用している。
【００４８】
この場合、レジストクラッチ１０がＯＮになってレジストローラ対３６Ｃが駆動してから、予め設定されている所定時間経過後に駆動したレジストローラ対３６Ｃで搬送された用紙Ｐは、先端検出の排紙センサＳ−１に到達することを正常として検知している。
【００４９】
まず、レジストクラッチ１０がＯＮになると、タイマ（不図示）が作動する（ステップＳ１）。
【００５０】
次に、一定時間経過することをタイマが先端検出の排紙センサＳ−１に伝達する（ステップＳ２）。
【００５１】
次に、排紙センサＳ−１がＯＮになっているか、否かを判断する（ステップＳ３）。
【００５２】
排紙センサＳ−１がＯＮになっていれば、用紙Ｐが到達したことを検出しているので、「正常排紙確定」とする（ステップＳ４）。
【００５３】
一方、排紙センサＳ−１がＯＦＦになっていれば、用紙Ｐが到達していないことを検出しているので、「ＪＡＭ紙確定」とする（ステップＳ５）。
【００５４】
「ＪＡＭ紙確定」の場合は、ジャムに対する処置が必要になるので、即時に「コピー動作停止」をおこなう。一方、「正常排紙確定」の場合は、複写の全工程を終了後に「コピー動作停止」となって、コピーを入手する（ステップＳ６）。
【００５５】
次に、排紙センサＳ−１による後端検出の場合を説明する。
【００５６】
図９は、排紙センサＳ−１による後端検出の場合を示したフローチャートである。各部の名称と符号は図６を援用している。
【００５７】
この場合、レジストクラッチ１０がＯＦＦになってレジストローラ対３６Ｃの駆動が停止してから、予め設定されている所定時間経過後に駆動したレジストローラ対３６Ｃで搬送された用紙Ｐは、後端検出の排紙センサＳ−１を通過することを正常として検知している。
【００５８】
まず、レジストクラッチ１０がＯＦＦになると、タイマ（不図示）が作動する（ステップＳ１１）。
【００５９】
次に、一定時間経過することをタイマが後端検出の排紙センサＳ−１に伝達する（ステップＳ１２）。
【００６０】
次に、排紙センサＳ−１がＯＦＦになっているか、否かを判断する（ステップＳ１３）。
【００６１】
排紙センサＳ−１がＯＦＦになっていれば、用紙Ｐが到達し通過したことを検出しているので、「正常排紙確定」とする（ステップＳ１４）。
【００６２】
一方、排紙センサＳ−１がＯＮになっていれば、用紙Ｐが到達していないことを検出しているので、「ＪＡＭ紙確定」とする（ステップＳ１５）。
【００６３】
「ＪＡＭ紙確定」の場合は、ジャムに対する処置が必要になるので、即時に「コピー動作停止」をおこなう。一方、「正常排紙確定」の場合は、複写の全工程を終了後に「コピー動作停止」となって、コピーを入手する（ステップＳ１６）。
【００６４】
また、「ＪＡＭ紙確定」の場合は、液晶表示装置の操作案内領域１６に、略図と共に、「１枚目：ジャム紙です  取り除いてください」、「２枚目：ジャム紙ではありません  残しておいてください」、「２枚目：ジャム紙ではありません  残しておいてください」・・・等を表示する。この表示により、ユーザは、ジャム紙のみを取り除き正常な途中の用紙Ｐはそのまま複写工程を再開することができる。
【００６５】
次に、フィニッシャ部９での用紙Ｐのジャム検出について説明する。
【００６６】
図１０の構成図を参照して、まず、フィニッシャ４の一例の基本構成について説明する。フィニッシャ部９は後処理手段の一つで、後処理装置とも呼ばれる。図１０で示したフィニッシャ部９はステイプルユニットで、集積部４８と綴じ部４９とメイントレイ５０とサブトレイ５１と搬送機構を備える。集積部４８は集積手段の一例で、装置本体である印刷機能部８から１枚ずつ排出される用紙Ｐを集積する。綴じ部４９は綴じ手段の一例で、集積部４８に集積した複数枚の用紙Ｐをステイプラにより綴じる。メイントレイ５０には集積部４８に集積して綴じられた冊子状の用紙Ｐが排出される。サブトレイ５１には印刷機能部８から１枚ずつ排出される用紙Ｐがそのまま排出される。
【００６７】
つまり、印刷機能部８でプリント済みの用紙がフィニッシャ部９に送り込まれると、用紙Ｐは、後処理を行うことなく出力する場合は、サブトレイ５１から排紙される。ステイプル止めを行う場合は、フィニッシャ側のプリント済み用紙のカウンタ（不図示）がプリント済み用紙の枚数を計数し、所定枚数に達する毎にステイプラが作動してプリント済み用紙のステイプルによる綴じ合わせを行うようになっている。このように、フィニッシャ部９を利用してステイプル止めを行う動作モードはステイプルモードと呼ばれる。
【００６８】
また、フィニッシャ部９には用紙Ｐの搬送状態を検知するセンサ群が備えられるが、図１０では、集積部４８における用紙Ｐの有無を検知する用紙検知装置（排紙センサ）Ｓ−２を図示する。この用紙検知装置Ｓ−２は用紙検知手段の一例である。なお、図示しないが、フィニッシャ部９には用紙Ｐに穴をあける機構等も備えることができる。
【００６９】
次に、図１１に示したフィニッシャ部９での用紙Ｐの検出のステップを示すフローチャートにより、検出の一例のステップについて説明する。
【００７０】
フィニッシャ部９での用紙Ｐのジャム検出の一例として、用紙検知装置（排紙センサ）Ｓ−２による検知の場合を説明する。
【００７１】
まず、フィニッシャ部９の集積部に設けられた排紙センサＳ−２が用紙Ｐを検出したか否かを判断する（ステップＳ３１）。
【００７２】
排紙センサＳ−２により用紙Ｐが検出された場合は、「正常排紙確定」と判断する（ステップＳ３２）。
【００７３】
一方、排紙センサＳ−２により用紙Ｐが検出されない場合は、「ＪＡＭ紙確定」と判断する（ステップＳ３３）。
【００７４】
「ＪＡＭ紙確定」の場合は、ジャムに対する処置が必要になるので、即時に「コピー動作停止」をおこなう。一方、「正常排紙確定」の場合は、複写の全工程を終了後に「コピー動作停止」となって、コピーを入手する（ステップＳ３４）。
【００７５】
なお、「ＪＡＭ紙確定」の場合は、液晶表示装置の操作案内領域１６に、略図と共に、「１枚目：ジャム紙です  取り除いてください」、「２枚目：ジャム紙ではありません  残しておいてください」、「２枚目：ジャム紙ではありません  残しておいてください」・・・等を表示する。この表示により、ユーザは、ジャム紙のみを取り除くことができる。それにより正常な用紙Ｐはそのまま正常な枚数のみを入手することができる。
【００７６】
次に、装置内での用紙Ｐのジャム発生の際の操作・表示パネル３での表示手順と印刷（複写）再開手順について説明する。
【００７７】
まず、表示手順については、
（１）操作・表示パネル３に、正常排出紙のカウンタ情報・警告メッセージ・正常排出紙イメージ図の組み合わせをパネル表示させてからＪＡＭ紙の位置をパネル表示させる場合。
【００７８】
（２）操作・表示パネル３に、ＪＡＭ紙の位置をパネル表示させてから正常排出紙のカウンタ情報・警告メッセージ・正常排出紙イメージ図の組み合わせをパネル表示させる場合。
【００７９】
の（１）および（２）の２通りがある。
【００８０】
また、印刷再開手順についても、
（１）自動再開の場合。つまり、ジャムした用紙が取り除かれたことを各排紙センサＳ−ｎが確認し、確認後にＣＰＵから装置に自動再開を指令する。
【００８１】
（２）スタートボタン（スタートキー１１ａ）を押下してＯＮにして手動再開させる場合。つまり、ジャムした用紙が取り除き、スタートボタン１１ａ押下してＯＮにして手動再開させる。
【００８２】
の（１）および（２）の２通りがある。
【００８３】
従って、表示手順と印刷（複写）再開手順については、表示手順の２通りと、印刷再開手順の２通りとを組み合わせると、４つの組み合わせ手順が成り立つ。
【００８４】
以下、その４つの手順〔（イ）〜（ニ）〕について、それぞれ図１５〜図１８に示したフローチャートを参照して順次、説明する。
【００８５】
（イ）操作・表示パネル３に、正常排出紙のカウンタ情報・警告メッセージ・正常排出紙イメージ図の組み合わせをパネル表示させてから、ＪＡＭ紙の位置をパネル表示させ、自動再開させる手順。
【００８６】
図１２にフローチャートを示したように、
まず、操作・表示パネル３に、設定画面を表示する（ステップＳ４１）。
【００８７】
次に、スタートボタン（スタートキー）１１ａを押下げてＯＮにする（ステップＳ４２）。
【００８８】
各検知装置からの「ＪＡＭ発生」の有無を判断する（ステップＳ４３）。
【００８９】
「ＪＡＭ発生」が無いと判断した場合は、装置はそのまま所定の印刷処理を進行させて、全ての処理が完了したら終了する。
【００９０】
一方、「ＪＡＭ発生」が有ると判断した場合は、印刷動作を停止する（ステップＳ４４）。
【００９１】
次に、操作・表示パネル３に、「正常排出紙カウンタ表示」をおこなう（ステップＳ４５）。
【００９２】
次に、操作・表示パネル３に「ＪＡＭ紙位置表示」により、ジャムした用紙Ｐの搬送路での位置を表示する（ステップＳ４６）。
【００９３】
次に、「ＪＡＭ紙位置表示」により、ユーザがジャムした用紙Ｐを排除して、「ＪＡＭ解除」がなされたか否かを判断する（ステップＳ４７）。
【００９４】
次に、「ＪＡＭ解除」がなされた場合は、「自動再開」して装置は所定の印刷処理を進行させて、全ての処理が完了したら終了する（ステップＳ４８）。
【００９５】
一方、「ＪＡＭ解除」がなされていない場合は、ステップＳ４５の操作・表示パネル３に、「正常排出紙カウンタ表示」に戻り、ステップＳ４５以降のステップを順次進行させて終了させる。
【００９６】
（ロ）操作・表示パネル３に、正常排出紙のカウンタ情報・警告メッセージ・正常排出紙イメージ図の組み合わせを表示させてからＪＡＭ紙の位置をパネル表示させ、手動再開する手順。
【００９７】
図１３にフローチャートを示したように、（ロ）の手順の場合は、上述の（イ）の手順と比べると、再開手順が、（イ）場合は自動であったが、（ロ）の場合は手動になっている点が異なる。したがって、（ロ）は、ステップの面では、ステップＳ４１〜ステップＳ４７までは、（イ）と同一であり、（イ）のステップＳ４８のみが異なり、ステップＳ４９となる。
【００９８】
従って、重複説明を避けるために、ステップＳ４１〜ステップＳ４７の説明は省略して、ステップＳ４９のみについて説明する。
【００９９】
ステップＳ４７において、「ＪＡＭ解除」がなされた場合は、手動再開として「スタートキー押下」を判断する。
【０１００】
「スタートキー押下」がＹＥＳであれば、以後、装置は所定の印刷処理を進行させて、全ての処理が完了したら終了する。
【０１０１】
一方、「スタートボタンキー押下」がＮＯであれば、再度、「スタートキー押下」を判断する（ステップＳ４９）。
【０１０２】
（ハ）操作・表示パネル３に、ＪＡＭ紙の位置をパネル表示させてから正常排出紙のカウンタ情報・警告メッセージ・正常排出紙イメージ図の組み合わせを表示させ、自動再開する手順。
【０１０３】
（ハ）手順の場合は、図１４にフローチャートを示したように、上述の（イ）の手順と比べると、（イ）の場合は、正常排出紙のカウンタ情報・警告メッセージ・正常排出紙イメージ図の組み合わせをパネル表示させてから、ＪＡＭ紙の位置をパネル表示させたのに対して、（ハ）の場合は、表示順序が逆になり、ＪＡＭ紙の位置をパネル表示させてから正常排出紙のカウンタ情報・警告メッセージ・正常排出紙イメージ図の組み合わせを表示している。したがって、（ハ）は、ステップの面では、ステップＳ４１〜ステップＳ４４までは、（イ）と同一であり、（イ）のステップＳ４５以降が異なる。
【０１０４】
従って、重複説明を避けるために、ステップＳ４１〜ステップＳ４４の説明は省略して、ステップＳ４５以降のステップについて説明する。
【０１０５】
ステップＳ４４により、「ＪＡＭ発生」が有ると判断して印刷動作が停止した場合、操作・表示パネル３に「ＪＡＭ紙位置表示」により、ジャムした用紙Ｐの搬送路での位置を表示する（ステップＳ４６Ａ）。
【０１０６】
次に、操作・表示パネル３に、「正常排出紙カウンタ表示」をおこなう（ステップＳ４５Ａ）。
【０１０７】
次に、「ＪＡＭ紙位置表示」により、ユーザがジャムした用紙Ｐを排除して、「ＪＡＭ解除」がなされたか否かを判断する（ステップＳ４７Ａ）。
【０１０８】
次に、「ＪＡＭ解除」がなされた場合は、「自動再開」して装置は所定の印刷処理を進行させて、全ての処理が完了したら終了する（ステップＳ４８Ａ）。
【０１０９】
一方、「ＪＡＭ解除」がなされていない場合は、ステップＳ４６Ａの「ＪＡＭ紙位置表示」に戻り、ステップＳ４６Ａ以降のステップを順次進行させて終了させる。
【０１１０】
（ニ）操作・表示パネル３に、ＪＡＭ紙の位置をパネル表示させてから正常排出紙のカウンタ情報・警告メッセージ・正常排出紙イメージ図の組み合わせを表示させ、手動再開する手順。
【０１１１】
（ニ）手順の場合は、図１５にフローチャートを示したに、上述の（ハ）の手順と比べると、再開手順が、（ハ）場合は自動であったが、（ニ）の場合は手動になっている点が異なる。したがって、（ニ）は、ステップの面では、ステップＳ４１〜ステップＳ４７Ａまでは、（ハ）と同一であり、（ハ）のステップＳ４８Ａのみが異なり、ステップＳ４９Ａとなる。
【０１１２】
従って、重複説明を避けるために、ステップＳ４１〜ステップＳ４７Ａの説明は省略して、ステップＳ４９Ａのみについて説明する。
【０１１３】
ステップＳ４７Ａにおいて、「ＪＡＭ解除」がなされた場合は、手動再開として「スタートボタンキー押下」を判断する。
【０１１４】
「スタートキー押下」がＹＥＳであれば、以後、装置は所定の印刷処理を進行させて、全ての処理が完了したら終了する。
【０１１５】
一方、「スタートボタンキー押下」がＮＯであれば、再度、「スタートキー押下」を判断する（ステップＳ４９Ａ）。
【０１１６】
上述の実施の形態ではいずれの場合でも、装置内でジャムした用紙の位置を表示すると共に、その他の用紙の状態も合わせて表示するようにしている。したがって、装置内で用紙がジャムした場合、ユーザは、装置内にジャムした用紙以外の滞留している用紙の状態を確実に知ることができ、それに応じて対処することができる。
【０１１７】
なお、本発明は上記の実施形態のそのままに限定されるものではなく、実施段階ではその要旨を逸脱しない範囲で構成要素を変形して具体化できる。また、上記の実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１１８】
【図１】本発明の画像形成装置の一実施例を示す複写装置の制御系のブロック図。
【図２】本発明の画像形成装置の操作・表示パネルの正面図。
【図３】本発明の画像形成装置の操作・表示パネルの液晶表示部の表示画面の一例。
【図４】本発明の画像形成装置の操作・表示パネルの液晶表示部の表示画面の一例。
【図５】本発明の画像形成装置の操作・表示パネルの液晶表示部の表示画面の一例。
【図６】電子写真方式の画像形成装置の基本動作を説明するための概略構成の模式説明図。
【図７】電子写真方式の画像形成装置のジャム検知タイミングの一例の説明図。
【図８】ジャム検出の具体例のフローチャート。
【図９】ジャム検出の具体例のフローチャート。
【図１０】フィニッシャ部の構成図。
【図１１】フィニッシャ部での用紙検出のフローチャート。
【図１２】本発明の画像形成装置での、表示手順と印刷（複写）再開手順についての一例を示すフローチャート。
【図１３】本発明の画像形成装置での、表示手順と印刷（複写）再開手順についての一例を示すフローチャート。
【図１４】本発明の画像形成装置での、表示手順と印刷（複写）再開手順についての一例を示すフローチャート。
【図１５】本発明の画像形成装置での、表示手順と印刷（複写）再開手順についての一例を示すフローチャート。
【符号の説明】
【０１１９】
１…複写装置の制御系、２…ＣＰＵ、３…操作・表示パネル、４…メモリ、５…画像読み込み部、６…画像処理部、７…ページメモリ部、８…印刷機能部、９…フィニッシャ部、１０…レジストクラッチ、１１…操作ボタン群、１２…液晶表示部、１３…アラームランプ、１４…表示面、１５…メッセージ表示領域、１６…操作案内領域、３５…給紙ローラ、３６Ｃ…レジストローラ対。
【図１】
2008145694.tif 000003
【図２】
2008145694.tif 000004
【図３】
2008145694.tif 000005
【図４】
2008145694.tif 000006
【図５】
2008145694.tif 000007
【図６】
2008145694.tif 000008
【図７】
2008145694.tif 000009
【図８】
2008145694.tif 000010
【図９】
2008145694.tif 000011
【図１０】
2008145694.tif 000012
【図１１】
2008145694.tif 000013
【図１２】
2008145694.tif 000014
【図１３】
2008145694.tif 000015
【図１４】
2008145694.tif 000016
【図１５】
2008145694.tif 000017